【手続補正書】
【提出日】平成16年8月30日(2004.8.30)
【手続補正１】
【補正対象書類名】明細書
【補正対象項目名】発明の名称
【補正方法】変更
【補正の内容】
【発明の名称】プラネタリウム装置およびプラネタリウム
【手続補正２】
【補正対象書類名】明細書
【補正対象項目名】特許請求の範囲
【補正方法】変更
【補正の内容】
【特許請求の範囲】
【請求項１】
回転可能に支持されるとともに、複数の負荷が搭載された投映装置と、
前記複数の負荷に電力を供給する電源と、
前記複数の負荷に対する動作コマンドを含む指令データを生成する第１ＣＰＵと、
前記第１ＣＰＵで生成された指令データを発信するとともに、その指令データに対する返信データを受信する第１無線ユニットと、
前記投映装置の回転部分に配設されるとともに、前記電源から前記複数の負荷に供給される電力を仲介するために集電環と摺動子との対を備えるスリップリングと、
前記第１無線ユニットから発信された指令データを受信するとともに、その指令データに対する返信データを発信する第２無線ユニットと、
前記第２無線ユニットで受信された指令データにより特定される負荷の動作を制御するための制御信号を生成する第２ＣＰＵと、
前記第２ＣＰＵで生成された制御信号に基づき、前記スリップリングに仲介された電力を使用して前記複数の負荷の動作を制御する制御手段と、
を有することを特徴とするプラネタリウム装置。
【請求項２】
請求項１に記載するプラネタリウム装置において、
前記第１無線ユニットと前記第２無線ユニットとの間で送受信されるデータに、送信エラーチェックのためのパリティービットが含まれていることを特徴とするプラネタリウム装置。
【請求項３】
請求項２に記載するプラネタリウム装置において、
前記第２無線ユニットから発信される返信データに、前記指令データ中の動作コマンドを前記第２無線ユニットが正常に受信したか否かを示す応答コードが含まれていることを特徴とするプラネタリウム装置。
【請求項４】
請求項１から請求項３までのいずれか１つに記載するプラネタリウム装置において、
前記投映装置に対して指令を出すコンソールを有し、
前記第１ＣＰＵと前記第１無線ユニットとが前記コンソールに設けられ、
前記第２ＣＰＵと前記第２無線ユニットとが前記投映装置に設けられていることを特徴とするプラネタリウム装置。
【請求項５】
請求項１から請求項４までのいずれか１つに記載するプラネタリウム装置と、
前記投映装置により映像が投映されるドームスクリーンとを備えることを特徴とするプラネタリウム。
【手続補正３】
【補正対象書類名】明細書
【補正対象項目名】０００１
【補正方法】変更
【補正の内容】
【０００１】
【発明の属する技術分野】
本発明は、ドームスクリーンの中心に置かれた投映装置によって、ドームスクリーン上に実際の星の運動などを映し出すプラネタリウム装置およびプラネタリウムに関する。さらに詳細には、投映装置に搭載されたモータやランプ等の各種負荷に対し、スリップリングを介して電力が供給されるプラネタリウム装置およびプラネタリウムに関するものである。
【手続補正４】
【補正対象書類名】明細書
【補正対象項目名】０００８
【補正方法】変更
【補正の内容】
【０００８】
そこで、本発明は上記した問題点を解決するためになされたものであり、スリップリングの数を減らすとともに、投映装置に搭載された各負荷に対する指令データの欠損を発見することができるプラネタリウム装置およびプラネタリウムを提供することを課題とする。
【手続補正５】
【補正対象書類名】明細書
【補正対象項目名】０００９
【補正方法】変更
【補正の内容】
【０００９】
【課題を解決するための手段】
上記問題点を解決するためになされた請求項１に記載された発明のプラネタリウム装置は、回転可能に支持されるとともに、複数の負荷が搭載された投映装置と、複数の負荷に電力を供給する電源と、複数の負荷に対する動作コマンドを含む指令データを生成する第１ＣＰＵと、第１ＣＰＵで生成された指令データを発信するとともに、その指令データに対する返信データを受信する第１無線ユニットと、投映装置の回転部分に配設されるとともに、電源から複数の負荷に供給される電力を仲介するために集電環と摺動子との対を備えるスリップリングと、第１無線ユニットから発信された指令データを受信するとともに、その指令データに対する返信データを発信する第２無線ユニットと、第２無線ユニットで受信された指令データにより特定される負荷の動作を制御するための制御信号を生成する第２ＣＰＵと、第２ＣＰＵで生成された制御信号に基づき、スリップリングに仲介された電力を使用して複数の負荷の動作を制御する制御手段と、を有することを特徴とするものである。なお、「負荷」とは、ランプや駆動モータ等の電気駆動部品を意味する。
【手続補正６】
【補正対象書類名】明細書
【補正対象項目名】００１２
【補正方法】変更
【補正の内容】
【００１２】
請求項２に記載された発明のプラネタリウム装置では、第１無線ユニットと第２無線ユニットとの間で送受信されるデータに、送信エラーチェックのためのパリティービットが含まれている。これにより、第１無線ユニットおよび第２無線ユニットからそれぞれ発信されるデータについて、パリティーチェックを行うことができる。そして、このパリティーチェックにより、データの送信エラーを検出することができる。すなわち、送信エラーによるデータ欠損に対するエラーチェック機能が備わるのである。
【手続補正７】
【補正対象書類名】明細書
【補正対象項目名】００１３
【補正方法】変更
【補正の内容】
【００１３】
また、請求項３に記載された発明のプラネタリウム装置では、第２無線ユニットから発信される返信データに、指令データ中の動作コマンドを第２無線ユニットが正常に受信したか否かを示す応答コードが含まれている。これにより、送信エラーによるデータの欠損をより精度良く検出することができる。
【手続補正８】
【補正対象書類名】明細書
【補正対象項目名】００１５
【補正方法】変更
【補正の内容】
【００１５】
このように、各負荷に対する指令データは、第１ＣＰＵから第２ＣＰＵへと無線通信を利用して伝送される。すなわち、指令データを送信するためのデータライン（有線）は存在しない。このため、指令データを仲介するためのスリップリングは不要である。従って、各負荷に対して電源から供給される電力を仲介するためのスリップリングのみ設ければよい。つまり、３軸駆動の投映装置であれば、３個のスリップリングがあれば足りる。ただし、電力ラインをＮ本（Ｎ＞１）設ける場合（直流用や交流用など）には、「３×Ｎ」個のスリップリングが必要となる。このようにスリップリングは、負荷の数に関係なく常に一定数あればよい。つまり、負荷の数を増やしても、スリップリングの数が増えない。従って、スリップリングの数を増加させることなく、プラネタリウムの演出の多様化を図ることができる。また、データライン（有線）が不要なので従来の装置よりも、スリップリングの数が少なくて済む。従って、プラネタリウム装置の小型化を図ることができる。さらに、プラネタリウム装置の信頼性も向上する。
【手続補正９】
【補正対象書類名】明細書
【補正対象項目名】００１６
【補正方法】変更
【補正の内容】
【００１６】
また、請求項４のプラネタリウム装置においては、投映装置に対して指令を出すコンソールを有し、第１ＣＰＵと第１無線ユニットとがコンソールに設けられ、第２ＣＰＵと第２無線ユニットとが投映装置に設けられている。また、請求項５のプラネタリウムは、請求項１から請求項４までのいずれか１つに記載するプラネタリウム装置と、投映装置により映像が投映されるドームスクリーンとを備えることを特徴とする。
【手続補正１０】
【補正対象書類名】明細書
【補正対象項目名】００３８
【補正方法】変更
【補正の内容】
【００３８】
【発明の効果】
以上説明した通り各請求項に記載された発明によれば、スリップリングの数を減らすとともに、投映装置に搭載された各負荷に対する指令データの欠損を発見することができるプラネタリウム装置およびプラネタリウムが提供されている。